(57)【要約】【課題】本発明は、睡眠時肌に直接触れる布帛に用いて好適な、皮膚に対する刺激が少なく、皮膚を保護して肌荒れを防止又は回復機能を促進する機能性布帛を用いた寝具を提供すること。【解決手段】機能性布帛を少なくとも一部に含んでなる寝具であって、該機能性布帛が多糖類等の吸湿剤とリン脂質類似構造物とを有する寝具。更に詳しくは、前記の機能性布帛がパジャマ、シーツ、若しくは、カバーから選ばれる１種であるか、又は、敷きふとん、敷きパット、掛けふとん、肌掛けふとん、枕、若しくはクッションから選ばれる１種の側地である寝具。【選択図】  なし【特許請求の範囲】
【請求項１】
機能性布帛を少なくとも一部に含んでなる寝具であって、該機能性布帛が吸湿剤とリン脂質類似構造物とを有することを特徴とする寝具。
【請求項２】
吸湿剤が多糖類であることを特徴とする請求項１記載の寝具。
【請求項３】
多糖類がキトサンであることを特徴とする請求項２記載の寝具。
【請求項４】
多糖類がアラビノガラクタンであることを特徴とする請求項２記載の寝具。
【請求項５】
吸湿剤がポリスチレン系、ポリアクリロニトリル系、ポリアクリル酸エステル系、ポリメタクリル酸エステル系のいずれかのビニル系重合体で、スルホン酸基、カルボン酸基、リン酸基あるいは、それらの金属塩の少なくとも１種の親水基を有し、かつジビニルベンゼン、トリアリルイソシアネートまたはヒドラジンのいずれかで架橋された架橋重合体であることを特徴とする請求項１記載の寝具。
【請求項６】
機能性布帛がパジャマ、シーツ、若しくは、カバーから選ばれる１種であるか、又は、敷きふとん、敷きパット、掛けふとん、肌掛けふとん、枕、若しくはクッションから選ばれる１種の側地であることを特徴とする請求項１〜５のいずれかに記載の寝具。
【発明の詳細な説明】
【０００１】
【発明の属する技術分野】
本発明は、睡眠時肌に直接触れる布帛に用いて好適な、更に詳しくは皮膚に対する刺激が少なく、皮膚を保護して肌荒れを防止又は回復機能を促進する機能性布帛を用いた寝具に関するものである。
【０００２】
【従来の技術】
近年、肌の健康に対する関心が高まっており、化粧品はもとより、繊維に対しても肌にやさしく、健康を保つ機能すなわちスキンケア性が求められている。これらの市場の要望に応えるため、種々の試みがなされている。例えば繊維にスキンケア性を付与するためリン脂質類似構造物を付与することが知られている（例えば、特許文献１、２参照。）。前記文献によれば、リン脂質類似構造物が皮膚表面で水分膜を形成し、肌のバリア機能（水分蒸散の防止）を促進又は補完され、これにより角質中の水分及び天然保湿成分（ＮＭＦ）流出を防止し、皮膚を正常な状態に回復させていると考えられる。しかしながら、実用上において該ポリマーの効果のみでは有効に肌の機能を回復し得るとは言いがたい。すなわち、健康な皮膚に回復させるためには、皮膚のターンオーバーを正常なサイクルを営み得る状態にする必要があるが、該ポリマーを使用した場合、すなわち通常のバリア機能を付与するのみでは回復まで時間がかかるため、該ポリマーが一旦取り除かれればせっかく回復した水分が蒸散し、元の肌荒れ状態に戻ってしまうという不具合があった。
【０００３】
【特許文献１】
特開２００２−３４８７７８号公報（段落番号（０００８〜００１６など））
【特許文献２】
特開２００２−３４８７７９号公報（段落番号（０００７〜００１９など）
【０００４】
【発明が解決しようとする課題】
本発明は、皮膚への刺激性が少なく、肌荒れを回復、防止する等のスキンケア性を有する機能性布帛を少なくとも一部に含んでなる寝具を提供することを課題とするものである。
【０００５】
【課題を解決するための手段】
本発明者等は上記課題を解決すべく鋭意検討した結果、吸湿剤とリン脂質類似構造物とを併用することにより、高いスキンケア性を有する寝具が得られることを見出し本発明に至った。
即ち、本発明は以下の構成よりなる。
１．機能性布帛を少なくとも一部に含んでなる寝具であって、該機能性布帛が吸湿剤とリン脂質類似構造物とを有することを特徴とする寝具。
２．吸湿剤が多糖類であることを特徴とする上記第１記載の寝具。
３．多糖類がキトサンであることを特徴とする上記第２記載の寝具。
４．多糖類がアラビノガラクタンであることを特徴とする上記第２記載の寝具。
５．吸湿剤がポリスチレン系、ポリアクリロニトリル系、ポリアクリル酸エステル系、ポリメタクリル酸エステル系のいずれかのビニル系重合体で、スルホン酸基、カルボン酸基、リン酸基あるいは、それらの金属塩の少なくとも１種の親水基を有し、かつジビニルベンゼン、トリアリルイソシアネートまたはヒドラジンのいずれかで架橋された架橋重合体であることを特徴とする上記第１記載の寝具。
６．機能性布帛がパジャマ、シーツ、若しくは、カバーから選ばれる１種であるか、又は、敷きふとん、敷きパット、掛けふとん、肌掛けふとん、枕、若しくはクッションから選ばれる１種の側地であることを特徴とする上記第１〜第５のいずれかに記載の寝具。
【０００６】
【発明の実施の形態】
以下、本発明について詳述する。
吸湿剤とリン脂質類似構造物とを併用することにより高いスキンケア性を有する理由について、以下のような理由が考えられる。
第一にリン脂質類似構造物の保湿力が不足していることが考えられる。すなわち、リン脂質類似構造物は高いバリア性を有するが、吸湿性が乏しい乾燥した布帛が肌に接すると肌の水分を回復することができず、その結果正常な肌のターンオーバーを確保できないと考えられる。
第二に皮膚に移行して、皮膜となったリン脂質類似構造物の親水基が、吸湿性が高い布帛の存在により皮膜表面により多く配向し、均一な膜構造を形成していると考えられる。
【０００７】
本発明に係る吸湿剤は皮膚の保湿剤として一般的に使用されているアミノ酸やピロリドカンカルボン酸など天然保湿成分であってもよいが、多糖類であってもよく、更にはキトサン又はアラビノガラクタンであることが好ましい。
【０００８】
また本発明に係る吸湿剤は、ポリスチレン系、ポリアクリロニトリル系、ポリアクリル酸エステル系、ポリメタクリル酸エステル系のいずれかのビニル系重合体で、スルホン酸基、カルボン酸基、リン酸基あるいは、それらの金属塩の少なくとも１種の親水基を有し、かつジビニルベンゼン、トリアリルイソシアネートまたはヒドラジンのいずれかで架橋された架橋重合体であってもよい。これらの剤は、リン脂質類似構造物と併用することにより、特に優れたスキンケア性を示すからである。この理由としては、これらの剤は吸湿性を有すると同時に、抗菌性をも有し、荒れて外部からの細菌等が進入し易くなった皮膚を保護するのに適していると考えられる。
【０００９】
リン脂質類似構造物は下記の構造を含む重合体であってもよい。
【００１０】
【化１】
2004308055.tif 000002
【００１１】
［式中、Ｘは２価の有機残基を示し、Ｙは炭素数１〜６のアルキレンオキシ基を示し、Ｚは水素原子もしくはＲ５−Ｏ−（Ｃ＝Ｏ）−（但しＲ５は炭素数１〜１０のアルキル基または炭素数１〜１０のヒドロキシアルキル基を示す。）を示す。また、Ｒ１は水素原子もしくはメチル基を示し、Ｒ２、Ｒ３およびＲ４は同一もしくは異なる基であって、水素原子または炭素数１〜６のアルキル基またはヒドロキシアルキル基を示す。ｍは０〜２０の整数を示す。ｎは１〜４の整数を示す。］
【００１２】
係るリン脂質類似構造物は特に高いスキンケア性を有するのみならず、細菌類が付着し難く、かつ血液適合性にも優れ、スキンケア布帛としての高い特性を備えているからである。
【００１３】
本発明でいうスキンケア性とは外部からの刺激から皮膚を保護する、又は荒れた皮膚を正常に回復させる機能をいう。
【００１４】
本発明におけるリン脂質類似ポリマー及び保湿剤の付与量は特に限定するものではないが、それぞれ０．０１ｏ．ｗ．ｆ  〜  ２０ｏ．ｗ．ｆ  であることが好ましい。
この範囲より低ければ、本発明の効果が得られにくくなり、この範囲より高ければ機能性布帛の風合い等に問題が生じ易いからである。
【００１５】
本発明に係る繊維の材質は特に限定するものではなく、綿や絹等の天然繊維、ポリエステルやポリアミドの合成繊維であってもよいが、皮膚との摩擦が小さく、風合いが柔らかいものが好ましい。
【００１６】
本発明にかかる吸着剤、リン脂質類似構造物は、繊維を構成するポリマーに練り込むことによって含有させてもよい。ポリマーに練り込むことにより、特に洗濯耐久性を要求される用途に用いて長期間効果を発揮するからである。
【００１７】
また繊維化後及び繊維構造物にパディング等により付着させてもよい。表面付着させることにより、皮膚に接触する部分に吸着剤、リン脂質類似構造物が分散され、練り込む場合に比して少量で効果を発揮でき、また工程通過性についても練り込む場合より優れているからである。
【００１８】
本発明でいう機能性布帛とは、織物、編物、不織布等に代表される、繊維を用いて２次元又は３次元的な構造を有するものを言い、縫製された形態のものも含んでいる。
【００１９】
本発明に係る寝具は、特に限定されるものではないが、パジャマ、シーツ、カバー類、敷きふとん、敷きパット、掛けふとん、肌掛けふとん、枕、クッションの側地等の肌に接触し、睡眠時使用するものである。これは睡眠時には体動が少なくスキンケア性の効果が現れやすい。
【００２０】
【実施例】
以下具体的実施例を挙げて説明するが、本発明はこれら実施例に限定されるものではない。また、実施例中の部は重量部を意味する。まず、実施例中で用いた評価方法について説明する。
【００２１】
＜スキンケア性評価方法＞
（１）試験サンプルを６ｍｍφの大きさに切り抜き、フィンチャンバー  （大正製薬製）にセットした。
（２）濃度０．１％、０．３％、０．７％に調整したドデシル硫酸ナトリウム（ＳＤＳ）水溶液を１０μＬずつそれぞれ試験布に含侵させた。
（３）成人男性（５名）の背部（脊椎椎部）に閉塞貼付した。
（４）貼付２４時間後に試験サンプルを背部より剥離した。
（５）剥離１時間後および２４時間後に皮膚の状態を肉眼にて判定した。判定基準は以下の通りである。
【００２２】
（皮膚判定基準）
皮膚反応は、試験実施者とは別の判定者が表１の本邦基準にした害判定後、反応に評点を与え、その点数を須貝らにより考案された下記式（イ）に導入して皮膚刺激指数を算出した。
【００２３】
【表１】
2004308055.tif 000003
【００２４】
皮膚刺激指数＝（総評点和  ／  被験者数）  ×  １００………………（イ）
【００２５】
すなわち式（イ）で示される皮膚刺激指数が低いほど、優れたスキンケア性を有する。
【００２６】
（実施例１）
経糸に７７デシテックス２１６フィラメントのポリエステル長繊維１２０本、緯糸に綿／ポリエステル＝３５／６５、４５番手の紡績糸１０５本で平織りにより得られた生地に、リン脂質類似構造物としてＬｉｐｉｄｕｒｅ（Ｒ）ＭＦ−３（日本油脂（株）製）を０．２５％ｏ．ｗ．ｆ（固形分）、吸湿剤として多糖類であるキトサンを０．５％ｏ．ｗ．ｆ（固形分）をパディングにより塗布した。得られた布帛のスキンケア性評価結果を表２に示す。得られた布帛は、リン脂質類似ポリマー及び吸湿剤を塗布していない布帛（後記の比較例１、（表３））と比して明確に優れたスキンケア性を有するものであった。本実施例で作成される布帛は寝具の側地、カバー、パジャマなどに使用でき、スキンケア性を発揮できるものであった。
【００２７】
（実施例２）
ポリエステルよりなる目付け５０ｇ／ｍ２のスパンボンドにリン脂質類似構造物としてＬｉｐｉｄｕｒｅ（Ｒ）ＭＦ−３（日本油脂（株）製）を０．２５％ｏ．ｗ．ｆ（固形分）、吸湿剤としてアラビノガラクタンを０．５％ｏ．ｗ．ｆ（固形分）をパディングにより塗布した。得られた布帛は、実施例１と同様に通常の布帛（後記の比較例２）と比して明確に優れたスキンケア性を有するものであった。本実施例で作成されるスパンボンドは防災用寝具の側地、掛け布団の襟などに使用でき、スキンケア性を発揮できるものであった。
【００２８】
（実施例３）
綿３５％／１．６ｄｔｅｘポリエステル短繊維６５％の紡績糸（５０番手）を丸編した布帛にリン脂質類似構造物としてＬｉｐｉｄｕｒｅ（Ｒ）ＭＦ−３（日本油脂（株）製）を０．２５％ｏ．ｗ．ｆ（固形分）、及び下記により得られる吸湿剤を０．５％ｏ．ｗ．ｆ（固形分）をパディングにより塗布した。
【００２９】
メタクリル酸／ｐ−スチレンスルホン酸ソーダ＝７０／３０の水溶性重合体３５０部及び硫酸ナトリウム３５部を６５００部の水に溶解し、櫂型攪拌機付きの重合槽に仕込んだ。次に、アクリル酸メチル２７５０部及びジビニルベンゼン３３０部に２，２’−アゾビス−（２，４−ジメチルバレロニトリル）１５部を溶解して重合槽に仕込み、４００ｒｐｍの攪拌下、６０℃で２時間重合し、重合率８８％の共重合体を得た。該重合体１００部を水９００部中に分散し、これに１１０部の苛性ソーダを添加し、９０℃、２．５時間反応を行い、アクリル酸メチルのメチルエステル部を加水分解することによりカルボキシル基４．６ミリ当量／ｇを有した架橋重合体を得た。得られた架橋重合体を吸湿剤とする。得られた不織布のスキンケア性評価結果を表２に示す。得られた布帛は、後記の比較例３（表３）に比して比して明確に優れたスキンケア性を有するものであった。本実施例で作成される布帛はカバー、掛け布団の襟などに使用でき、スキンケア性を発揮できるものであった。
【００３０】
（実施例４）
経糸に７７デシテックス２１６フィラメントのポリエステル長繊維１２０本、緯糸に綿／ポリエステル＝３５／６５、４５番手の紡績糸１０５本で平織りにより得られた生地に、リン脂質類似構造物としてＬｉｐｉｄｕｒｅ（Ｒ）ＭＦ−３（日本油脂（株）製）を０．２５％ｏ．ｗ．ｆ（固形分）、吸湿剤としてアラビノガラクタンを０．５％ｏ．ｗ．ｆ（固形分）をパディングにより塗布した。本布帛を幅１６４ｃｍ、長さ４４０ｃｍにカットし、掛け布団用の縫製を行い、中綿として東洋紡製ポリエステル短繊維シュレープ（２．８デシテックス、カット長６４ｍｍ、中空、繊維表面にシリコン加工を施した繊維）のカードウエッブを１．２ｋｇ使用し、キルトし掛け布団を得た。本布団より、肌に当たる部分の布帛をカットし、スキンケア性評価した結果を表１に示す。得られた布帛は、リン脂質類似ポリマー及び吸湿剤を塗布していない布帛（後記の比較例５）と比して明確に優れたスキンケア性を有するものであった。
【００３１】
（比較例１）
実施例１と同様に経糸に７７デシテックス２１６フィラメントのポリエステル長繊維１２０本、緯糸に綿／ポリエステル＝３５／６５、４５番手の紡績糸１０５本で平織りにより得られた生地に何らリン脂質類似構造物及び吸湿剤のいずれも付与することなく、スキンケア性評価をおこなった。スキンケア性評価結果を表３に示す。得られた布帛は実施例１の布帛と比較して、スキンケア性の劣るものであった。
【００３２】
（比較例２）
実施例２と同様にポリエステルよりなる目付け５０ｇ／ｍ２のスパンボンドに何らリン脂質類似構造物及び吸湿剤のいずれも付与することなく、スキンケア性評価をおこなった。スキンケア性評価結果を表３に示す。得られた布帛は実施例２の布帛と比較して、スキンケア性の劣るものであった。
【００３３】
（比較例３）
実施例３と同様に綿３５％／１．６ｄｔｅｘポリエステル短繊維６５％の紡績糸（５０番手）を丸編した布帛に何らリン脂質類似構造物及び吸湿剤のいずれも付与することなく、スキンケア性評価をおこなった。スキンケア性評価結果を表３に示す。得られた布帛は実施例３の布帛（表２）と比較して、スキンケア性の劣るものであった。
【００３４】
（比較例４）
実施例１と同様に経糸に７７デシテックス２１６フィラメントのポリエステル長繊維１２０本、緯糸に綿／ポリエステル＝３５／６５、４５番手の紡績糸１０５本で平織りにより得られた生地に、リン脂質類似構造物（Ｌｉｐｉｄｕｒｅ  ＭＦ−３）のみを０．２５％ｏ．ｗ．ｆ（固形分）付与した。得られた布帛のスキンケア性評価結果を表３に示す。得られた布帛は未処理布帛（比較例１）との明確な差は現れず、十分なスキンケア性は得られなかった。
【００３５】
（比較例５）
経糸に７７デシテックス２１６フィラメントのポリエステル長繊維１２０本、緯糸に綿／ポリエステル＝３５／６５、４５番手の紡績糸１０５本で平織りにより得られた生地に、何らリン脂質類似構造物及び吸湿剤のいずれも付与することなく、幅１６４ｃｍ、長さ４４０ｃｍにカットし、掛け布団用の縫製を行い、中綿として東洋紡製ポリエステル短繊維シュレープ（２．８デシテックス、カット長６４ｍｍ、中空、繊維表面にシリコン加工を施した繊維）のカードウエッブを１．２ｋｇ使用し、キルトし掛け布団を得た。本布団より、肌に当たる部分の布帛をカットし、スキンケア性評価した結果を表３に示す。実施例４のもの（表２）と比較して、スキンケア性の劣るものであった。
【００３６】
【表２】
2004308055.tif 000004
【００３７】
【表３】
2004308055.tif 000005
【００３８】
【発明の効果】
本発明によって、睡眠時肌に直接触れる寝具として好適な、更に詳しくは皮膚に対する刺激が少なく、皮膚を保護して肌荒れを防止又は回復機能を促進する機能性布帛を用いた寝具を提供することが可能となった。